(57)【要約】【課題】タッチセンサの面積増加や回路の複雑化等をさせることなく、タッチセンサのセンサ領域に、外部接近物体が接近したことを検出する検出機能を設ける技術を提供することにある。【解決手段】一実施形態によれば、検出面内において、外部接近物体の位置を検出する第１検出電極と、前記検出面への前記外部接近物体の近接を検出する複数の第２検出電極と、を含み、前記複数の第２検出電極は、第２方向に延在し、前記第２方向と交差する第１方向に配列され、前記複数の第２検出電極は、前記第１検出電極と平面視において重畳している、表示装置が提供される。【選択図】図５
2020187684.tif 000002
【特許請求の範囲】
【請求項１】
検出面内において、外部接近物体の位置を検出する第１検出電極と、
前記検出面への前記外部接近物体の近接を検出する複数の第２検出電極と、を含み、
前記複数の第２検出電極は、第２方向に延在し、前記第２方向と交差する第１方向に配列され、
前記複数の第２検出電極は、前記第１検出電極と平面視において重畳している、
表示装置。
【請求項２】
請求項１の表示装置において、
前記第１検出電極は、複数の駆動電極と、複数の検出電極と、を含み、
前記複数の第２検出電極は、前記複数の駆動電極と重畳する面積の方が、前記複数の検出電極と重畳する面積より大きい、表示装置。
【請求項３】
請求項２の表示装置において、
前記複数の駆動電極、前記複数の検出電極および前記複数の第２検出電極は、断面視において、前記検出面から前記複数の駆動電極、前記複数の検出電極、前記複数の第２検出電極の順に配置される、表示装置。
【請求項４】
請求項３の表示装置において、
前記第１検出電極を用いた第１タッチ検出時、前記複数の第２検出電極は、前記複数の駆動電極と同振幅で駆動される、表示装置。
【請求項５】
請求項１の表示装置において、
前記第１検出電極は、複数の駆動電極と、複数の検出電極と、を含み、
前記複数の第２検出電極は、前記複数の検出電極と重畳する面積の方が、前記複数の駆動電極と重畳する面積より大きい、表示装置。
【請求項６】
請求項５の表示装置において、
前記複数の駆動電極、前記複数の検出電極および前記複数の第２検出電極は、断面視において、前記検出面から前記複数の検出電極、前記複数の駆動電極、前記複数の第２検出電極の順に配置される、表示装置。
【請求項７】
請求項３または６の表示装置において、
前記第１検出電極を用いた第１タッチ検出時、前記複数の第２検出電極はフローティングにされる、表示装置。
【請求項８】
請求項７の表示装置において、
前記複数の第２検出電極を用いた第２タッチ検出時、前記複数の駆動電極および前記複数の検出電極はフローティングにされる、表示装置。
【請求項９】
請求項１の表示装置において、
前記複数の駆動電極および前記複数の検出電極のおのおのは、複数の四角形の角部をつなぎ合わせた構造とされ、
前記複数の駆動電極と前記複数の検出電極は、平面視において、部分的に重畳している、表示装置。
【請求項１０】
請求項９の表示装置において、
前記複数の第２検出電極のおのおのはストライプ状電極の構造を有し、
前記ストライプ状電極は、前記複数の四角形の角部と重畳する、表示装置。
【請求項１１】
検出面内において、外部接近物体の位置を検出する第１検出電極と、
前記検出面への前記外部接近物体の近接を検出する複数の第２検出電極と、を含み、
前記複数の第２検出電極は、第２方向に延在し、前記第２方向と交差する第１方向に配列され、
前記複数の第２検出電極のおのおのは、平面視において、前記第１検出電極と重畳している、
タッチ検出装置。
【請求項１２】
請求項１１のタッチ検出装置において、
前記第１検出電極は、複数の駆動電極と、複数の検出電極と、を含み、
前記複数の第２検出電極は、前記複数の駆動電極と重畳する面積の方が、前記複数の検出電極と重畳する面積より大きい、タッチ検出装置。
【請求項１３】
請求項１２のタッチ検出装置において、
前記複数の駆動電極、前記複数の検出電極および前記複数の第２検出電極は、断面視において、前記検出面から前記複数の駆動電極、前記複数の検出電極、前記複数の第２検出電極の順に配置される、タッチ検出装置。
【請求項１４】
請求項１３のタッチ検出装置において、
前記第１検出電極を用いた第１タッチ検出時、前記複数の第２検出電極は、前記複数の駆動電極の同振幅で駆動される、タッチ検出装置。
【請求項１５】
請求項１１のタッチ検出装置において、
前記第１検出電極は、複数の駆動電極と、複数の検出電極と、を含み、
前記複数の第２検出電極は、前記複数の検出電極と重畳する面積の方が、前記複数の駆動電極と重畳する面積より大きい、タッチ検出装置。
【請求項１６】
請求項１５のタッチ検出装置において、
前記複数の駆動電極、前記複数の検出電極および前記複数の第２検出電極は、断面視において、前記検出面から前記複数の検出電極、前記複数の駆動電極、前記複数の第２検出電極の順に配置される、タッチ検出装置。
【請求項１７】
請求項１３または１６のタッチ検出装置において、
前記第１検出電極を用いた第１タッチ検出時、前記複数の第２検出電極はフローティングにされる、タッチ検出装置。
【請求項１８】
請求項１７のタッチ検出装置において、
前記複数の第２検出電極を用いた第２タッチ検出時、前記複数の駆動電極および前記複数の検出電極はフローティングにされる、タッチ検出装置。
【請求項１９】
請求項１１のタッチ検出装置において、
前記複数の駆動電極および前記複数の検出電極のおのおのは、平面視において、複数の四角形の角部をつなぎ合わせた構造である、タッチ検出装置。
【請求項２０】
請求項１９のタッチ検出装置において、
前記複数の第２検出電極のおのおのはストライプ状電極の構造を有し、
前記ストライプ状電極は前記複数の四角形の角部と重畳する、タッチ検出装置。
【発明の詳細な説明】
【技術分野】
【０００１】
本発明は、タッチ検出装置を備えた表示装置、および、タッチ検出装置に適用可能である。
【背景技術】
【０００２】
タッチパネルを備えた表示装置が提案されている（たとえば、特開２０１８−８８１４２号公報）。また、液晶表示パネルの内部にタッチパネルを内蔵したインセル方式の液晶表示装置が提案されている（たとえば、特開２０１５−１６４０３３号公報）。
【先行技術文献】
【特許文献】
【０００３】
【特許文献１】特開２０１８−８８１４２号公報
【特許文献２】特開２０１５−１６４０３３号公報
【発明の概要】
【発明が解決しようとする課題】
【０００４】
本発明者らは、指やタッチペンの様な外部接近物体の位置を検出する検出機能（第1タッチ検出機能）を有するタッチセンサの低消費電力化について検討した。その結果、タッチセンサの低消費電力化には、指やタッチペンの様な外部接近物体がタッチセンサのタッチセンサ領域に接近したことを検出する検出機能（第２タッチ検出機能）をさらにタッチセンサに設け、第２タッチ検出機能の検出結果に基づいて、第1タッチ検出機能を活性化させて、外部接近物体の位置を検出するのが良いことが分かった。また、第２タッチ検出機能は、タッチセンサの面積を増加させないように設けるのが良いことが分かった。
【０００５】
本発明の目的は、タッチセンサの面積増加や回路の複雑化等をさせることなく、タッチセンサのタッチセンサ領域に、外部接近物体が接近したことを検出する検出機能を設ける技術を提供することにある。
【０００６】
その他の課題と新規な特徴は、本明細書の記述および添付図面から明らかになるであろう。
【課題を解決するための手段】
【０００７】
本発明のうち代表的なものの概要を簡単に説明すれば下記の通りである。
【０００８】
一実施形態によれば、
検出面内において、外部接近物体の位置を検出する第１検出電極と、
前記検出面への前記外部接近物体の近接を検出する複数の第２検出電極と、を含み、
前記複数の第２検出電極は、第２方向に延在し、前記第２方向と交差する第１方向に配列され、
前記複数の第２検出電極は、前記第１検出電極と平面視において重畳している、表示装置が提供される。
【０００９】
また、他の一実施形態によれば、
検出面内において、外部接近物体の位置を検出する第１検出電極と、
前記検出面への前記外部接近物体の近接を検出する複数の第２検出電極と、を含み、
前記複数の第２検出電極は、第２方向に延在し、前記第２方向と交差する第１方向に配列され、
前記複数の第２検出電極のおのおのは、平面視において前記第１検出電極と重畳している、タッチ検出装置が提供される。
【図面の簡単な説明】
【００１０】
【図１】図１は、実施形態に係る表示装置を説明する平面図である。
【図２】図２は、図１のＡ−Ａ線に沿う断面図である。
【図３】図３は、図２のタッチパネルの構成例を説明する断面図である。
【図４】図４は、図１の表示装置の等価回路及び画素の基本構成を示す図である。
【図５】図５は、タッチパネルの平面レイアウトの構成例を示す図である。
【図６】図６は、図５の駆動電極の電極形状を説明する図である。
【図７】図７は、図５の検出電極の電極形状を説明する図である。
【図８】図８は、実施形態に係るセンサ付き表示装置のミューチャル検出方式の代表的な基本構成を示す図である。
【図９】図９は、実施形態に係るセルフ（Ｓｅｌｆ）検出方式の代表的な基本構成を示す図である。
【図１０】図１０は、第２タッチ検出を説明する図である。
【図１１】図１１は、実施形態の第１タッチ検出と第２タッチ検出との検出期間を説明する図である。
【図１２】図１２は、実施形態に係る表示装置のタッチ検出フローを説明する図である。
【図１３】図１３は、変形例１に係るタッチパネルの平面レイアウトの構成例を示す図である。
【図１４】図１４は、変形例２に係るタッチパネルの平面レイアウトの構成例を示す図である。
【図１５】図１５は、形状例１を説明する概念的な平面図である。
【図１６】図１６は、形状例２を説明する概念的な平面図である。
【図１７】図１７は、変形例３に係るタッチパネルの平面レイアウトの構成例を示す図である。
【図１８】図１８は、変形例４に係るタッチパネルの平面レイアウトの構成例を示す図である。
【図１９】図１９は、変形例５に係るタッチパネルの平面レイアウトの構成例を示す図である。
【図２０】図２０は、変形例６に係るタッチパネルの平面レイアウトの構成例を示す図である。
【図２１】図２１は、変形例７に係るタッチパネルの平面レイアウトの構成例を示す図である。
【図２２】図２２は、変形例８に係るタッチパネルの平面レイアウトの構成例を示す図である。
【図２３】図２３は、複数の第２検出電極を、複数の検出電極の下側に配置した場合の断面図を纏めて示す図である。
【図２４】図２４は、複数の第２検出電極を、複数の駆動電極の下側に配置した場合の断面図を纏めて示す図である。
【図２５】図２５は、第２検出電極を、複数の検出電極および複数の駆動電極の下側に配置した場合の断面図を纏めて示す図である。
【図２６】図２６は、タイプＴＡ，ＴＢ，ＴＤ、ＴＥの断面図と等価回路とをまとめて示す図である。
【図２７】図２７は、図２６のタイプＴＢの駆動方法を説明する図である。
【図２８】図２８は、図２６のタイプＴＡの駆動方法を説明する図である。
【図２９】図２９は、変形例９に係るタッチパネルの平面レイアウトを説明する図である。
【図３０】図３０は、変形例９に係る電子装置の構成例を説明する図である。
【発明を実施するための形態】
【００１１】
以下に、本発明の各実施の形態について、図面を参照しつつ説明する。
【００１２】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１３】
また、本明細書と各図において、既出の図に関して前述したものと同様の要素には、同一の符号を付して、詳細な説明を適宜省略することがある。
【００１４】
本実施形態においては、表示装置の一例として、液晶表示装置を開示する。この液晶表示装置は、例えば、スマートフォン、タブレット端末、携帯電話端末、パーソナルコンピュータ、テレビ受像装置、車載装置、ゲーム機器等の種々の電子装置に用いることができる。
【００１５】
なお、本明細書及び特許請求の範囲において、図面を説明する際の「上」、「下」などの表現は、着目する構造体と他の構造体との相対的な位置関係を表現している。具体的には、側面から見た場合において、第１基板（アレイ基板）から第２基板（対向基板）に向かう方向を「上」と定義し、その逆の方向を「下」と定義する。
【００１６】
また、「内側」及び「外側」とは、２つの部位における、表示領域を基準とした相対的な位置関係を示す。すなわち、「内側」とは、一方の部位に対し相対的に表示領域に近い側を指し、「外側」とは、一方の部位に対し相対的に表示領域から遠い側を指す。ただし、ここで言う「内側」及び「外側」の定義は、液晶表示装置を折り曲げていない状態におけるものとする。
【００１７】
「表示装置」とは、表示パネルを用いて映像を表示する表示装置全般を指す。「表示パネル」とは、電気光学層を用いて映像を表示する構造体を指す。例えば、表示パネルという用語は、電気光学層を含む表示セルを指す場合もあるし、表示セルに対して他の光学部材（例えば、偏光部材、バックライト、タッチパネル等）を装着した構造体を指す場合もある。ここで、「電気光学層」には、技術的な矛盾を生じない限り、液晶層、エレクトロクロミック（ＥＣ）層、有機発光ダイオード（Ｏｒｇａｎｉｃ  Ｌｉｇｈｔ−Ｅｍｉｔｔｉｎｇ  Ｄｉｏｄｅ：ＯＬＥＤ）、マイクロＬＥＤ（μＬＥＤ）などが含まれ得る。したがって、後述する実施形態について、表示パネルとして、液晶層を含む液晶パネルを例示して説明するが、上述した他の電気光学層を含む表示パネルへの適用を排除するものではない。
【００１８】
（実施形態）
図１は、実施形態に係る表示装置を説明する平面図である。図２は、図１のＡ−Ａ線に沿う断面図である。図３は、タッチパネルの構成例を説明する断面図である。図４は、図１の表示装置の回路構成例を説明する図である。
【００１９】
（表示装置の全体構成例）
図１に示す様に、表示装置ＤＳＰは、表示パネルＰＮＬと、タッチ検出装置としてのタッチパネルＴＰと、フレキシブルプリント回路基板１と、ＩＣチップ（ＤＤ）２と、回路基板３と、フレキシブルプリント回路基板４と、タッチパネル制御装置（ＴＰＣ）５と、を備えている。表示パネルＰＮＬは、この例では、液晶表示パネルであり、第１基板（アレイ基板ともいう）ＳＵＢ１と、第２基板（対向基板ともいう）ＳＵＢ２と、後述する液晶層ＬＣと、シール材ＳＥと、を備えている。
【００２０】
表示パネルＰＮＬは、画像を表示する表示部（表示領域）ＤＡと、表示部ＤＡを囲む額縁状の非表示部（非表示領域）ＮＤＡと、を備えている。第２基板ＳＵＢ２は、第１基板ＳＵＢ１に対向している。第１基板ＳＵＢ１は、第２基板ＳＵＢ２よりも第２方向Ｙに延出した実装部ＭＡを有している。シール材ＳＥは、非表示部ＮＤＡに位置し、第１基板ＳＵＢ１と第２基板ＳＵＢ２とを接着するとともに、液晶層ＬＣを封止している。非表示部ＮＤＡは周辺領域と見做すこともでき、実装部ＭＡも非表示部ＮＤＡに含まれると見做すこともできる。
【００２１】
表示部ＤＡは、複数の画素ＰＸと、複数のゲート配線（走査線ともいう）と、映像信号配線（信号線ともいう）と、を有する。表示部ＤＡにおいて、複数の画素ＰＸは、第１方向Ｘ及び第２方向Ｙにマトリクス状（行列状）に配置されている。複数の画素ＰＸは、１つの画素ＰＸが1本のゲート配線と1本の映像信号配線とに電気的に接続されるように、複数のゲート配線（走査線ともいう）と映像信号配線（信号線ともいう）とに電気的に接続されている。
【００２２】
フレキシブルプリント回路基板１は、実装部ＭＡに実装され、回路基板３に接続されている。ＩＣチップ２は、フレキシブルプリント回路基板１に実装されている。なお、ＩＣチップ２は、四角の点線２ａで示す様に、実装部ＭＡに実装されてもよい。ＩＣチップ２は、画像を表示する表示モードにおいて画像表示に必要な信号を出力するディスプレイドライバＤＤを内蔵している。
【００２３】
タッチパネルＴＰは、タッチセンサ領域ＴＰＡを有する。タッチセンサ領域ＴＰＡは、表示パネルＰＮＬの表示部（表示領域）ＤＡの上側に設けられる。タッチパネルＴＰは、タッチセンサ領域ＴＰＡにおいて、指やタッチペンの様な外部接近物体の位置を検出する第1タッチ検出の機能（第1タッチ検出機能ともいう）と、指やタッチペンの様な外部接近物体がタッチセンサ領域に接近したことを検出する第２タッチ検出の機能（第２タッチ検出機能ともいう）と、を有する。第1タッチ検出機能は、複数の駆動電極Ｔｘと複数の検出電極Ｒｘとを含む第１タッチ検出電極ＴＲにより構成される。第２タッチ検出機能は、複数の第２タッチ検出電極ＦＤにより構成される。
【００２４】
フレキシブルプリント回路基板４は、タッチパネルＴＰと回路基板３との間に実装されている。タッチパネル制御装置（ＴＰＣ）５は、フレキシブルプリント回路基板４に実装され、タッチパネルＴＰと電気的に接続されている。タッチパネル制御装置５は、また、フレキシブルプリント回路基板４、回路基板３およびフレキシブルプリント回路基板１を介して、ＩＣチップ２に電気的に接続されている。タッチパネル制御装置５は、第1タッチ検出を実施するため、複数の駆動電極Ｔｘと複数の検出電極Ｒｘを制御し、第２タッチ検出を実施するため、複数の第２タッチ検出電極ＦＤを制御する。
【００２５】
本実施形態の表示パネルＰＮＬは、第１基板ＳＵＢ１の背面側からの光を選択的に透過させることで画像を表示する透過表示機能を備えた透過型、第２基板ＳＵＢ２の前面側からの光を選択的に反射させることで画像を表示する反射表示機能を備えた反射型、あるいは、透過表示機能及び反射表示機能を備えた半透過型のいずれであってもよい。
【００２６】
また、表示パネルＰＮＬの詳細な構成について、ここでは説明を省略するが、表示パネルＰＮＬは、また、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの構成を備えていてもよい。ここでの基板主面とは、第１方向Ｘ及び第２方向Ｙで規定されるＸ−Ｙ平面と平行な面である。
【００２７】
図２に示すように、第１基板ＳＵＢ１の下には下偏光板２００が貼り付けられ、第２基板ＳＵＢ２の上側には上偏光板２０１が貼り付けられている。上偏光板２０１の上にはタッチパネルＴＰが貼り付けられている。第１基板ＳＵＢ１、第２基板ＳＵＢ２、下偏光板２００、上偏光板２０１、液晶層ＬＣの組み合わせを表示パネルＰＮＬと呼ぶ場合もある。表示パネルＰＮＬは液晶等を用いた非自発光パネルの場合、下偏光板２００の下には、バックライト２０２が配置されている。尚、タッチパネルＴＰの上側の表面は検出面とされる。
【００２８】
図１で説明した様に、実装部ＭＡには、複数の外部端子が形成されている。実装部ＭＡの複数の外部端子には、フレキシブルプリント回路基板１が接続される。フレキシブルプリント回路基板１には、映像信号等を供給するＩＣチップ２が搭載されている。フレキシブルプリント回路基板１には、表示装置ＤＳＰに外部から信号や電力を供給するための回路基板３が接続されている。
【００２９】
図３は、第１方向Ｘに沿ったタッチパネルＴＰの一例の断面図を示している。図３に示す様に、タッチパネルＴＰは、絶縁基板３００と、絶縁基板３００の上面に設けられた複数の駆動電極Ｔｘと、複数の駆動電極Ｔｘを覆う絶縁層３０１と、絶縁層３０１の上に設けられた複数の検出電極Ｒｘと、複数の検出電極Ｒｘを覆う絶縁層３０２と、を含む。複数の検出電極Ｒｘと複数の駆動電極Ｔｘとは、第１タッチ検出電極ＴＲを構成している。タッチパネルＴＰは、また、絶縁基板３００の下面に設けられた複数の第２タッチ検出電極ＦＤと、複数の第２タッチ検出電極ＦＤを覆う絶縁層３０３と、を含む。複数の駆動電極Ｔｘ、複数の検出電極Ｒｘおよび第２タッチ検出電極ＦＤは、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの透明な導電材料や金属などの導電材料によって形成されている。
【００３０】
（表示装置の回路構成例）
図４は、表示装置ＤＳＰの等価回路及び画素ＰＸの基本構成を示す図である。複数の画素ＰＸは、第１方向Ｘ及び第２方向Ｙにマトリクス状に配置されている。複数本の走査線Ｇ（Ｇ１、Ｇ２、・・・）は、走査線駆動回路ＧＤに接続されている。複数本の信号線Ｓ（Ｓ１、Ｓ２、・・・）は、信号線駆動回路ＳＤに接続されている。複数本の共通電極ＣＥ（ＣＥ１、ＣＥ２、・・・）は、コモン電圧（Ｖｃｏｍ）の電圧供給部ＣＤに接続され、複数の画素ＰＸに亘って配置されている。１つの画素ＰＸは、１本の走査線と、１本の信号線と、１本の共通電極ＣＥと、に接続されている。なお、走査線Ｇ及び信号線Ｓは、必ずしも直線的に延出していなくてもよく、それらの一部が屈曲していてもよい。例えば、信号線Ｓは、その一部が屈曲していたとしても、第２方向Ｙに延出しているものとする。走査線駆動回路ＧＤ、信号線駆動回路ＳＤ、および、電圧供給部ＣＤは、薄膜トランジスタ（ＴＦＴ）によって構成される。
【００３１】
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。
【００３２】
（タッチパネルの平面レイアウトの構成例）
図５は、タッチパネルＴＰの平面レイアウトの構成例を示す図である。タッチパネルＴＰは、タッチセンサ領域ＴＰＡに配置された、複数の駆動電極Ｔｘ（Ｔｘ１，Ｔｘ２，Ｔｘ３）と、複数の検出電極Ｒｘ（Ｒｘ１，Ｒｘ２，Ｒｘ３）と、複数の第２検出電極ＦＤ（ＦＤ１，ＦＤ２，ＦＤ３）と、を有する。図５では、各々３本の電極（（Ｔｘ１，Ｔｘ２，Ｔｘ３）、（Ｒｘ１，Ｒｘ２，Ｒｘ３）、（ＦＤ１，ＦＤ２，ＦＤ３））を例示的に示しているが、これに限定されるものではない。複数の駆動電極Ｔｘ、複数の検出電極Ｒｘ、および複数の第２検出電極ＦＤは、３本以上の本数とされても良いことは、当業者には当然として容易に考えられることである。
【００３３】
複数の駆動電極Ｔｘ（Ｔｘ１，Ｔｘ２，Ｔｘ３）は、平面視において、第１方向Ｘに延在し、第１方向Ｘと交差する第２方向Ｙに配列されている。複数の検出電極Ｒｘ（Ｒｘ１，Ｒｘ２，Ｒｘ３）は、平面視において、第２方向Ｙに延在し、第２方向Ｙと交差する第１方向Ｘに配列されている。複数の第２検出電極ＦＤ（ＦＤ１，ＦＤ２，ＦＤ３）は、ストライプ状電極の構造を有している。複数の第２検出電極ＦＤ（ＦＤ１，ＦＤ２，ＦＤ３）は、平面視において、第２方向Ｙに延在し、第２方向Ｙと交差する第１方向Ｘに配列されている。この例では、複数の第２検出電極ＦＤ（ＦＤ１，ＦＤ２，ＦＤ３）は、複数の検出電極Ｒｘ（Ｒｘ１，Ｒｘ２，Ｒｘ３）の下側に配置されている。具体的には、第２検出電極ＦＤ１は検出電極Ｒｘ１の下側に配置され、第２検出電極ＦＤ２は検出電極Ｒｘ２の下側に配置され、第２検出電極ＦＤ３は検出電極Ｒｘ３の下側に配置されている。
【００３４】
したがって、図５に示す様に、複数の第２検出電極ＦＤは、複数の駆動電極Ｔｘおよび複数の検出電極Ｒｘから構成される第１検出電極ＴＲと重畳している。また、複数の第２検出電極ＦＤは、複数の検出電極Ｒｘと重畳する面積の方が、複数の駆動電極Ｔｘと重畳する面積より大きい。
【００３５】
複数の駆動電極Ｔｘ（Ｔｘ１，Ｔｘ２，Ｔｘ３）は、複数の引出し配線Ｌ１を介して、タッチパネル制御装置５に電気的に接続されている。複数の検出電極Ｒｘ（Ｒｘ１，Ｒｘ２，Ｒｘ３）は、複数の引出し配線Ｌ２を介して、タッチパネル制御装置５に電気的に接続されている。複数の第２検出電極ＦＤ（ＦＤ１，ＦＤ２，ＦＤ３）は、引出し配線Ｌ３を介して、タッチパネル制御装置５に電気的に接続されている。
【００３６】
複数の第２検出電極ＦＤ（ＦＤ１，ＦＤ２，ＦＤ３）を複数の検出電極Ｒｘ（Ｒｘ１，Ｒｘ２，Ｒｘ３）の下側に配置することにより、タッチパネルＴＰの面積を拡大することなく、タッチセンサＴＰのタッチセンサ領域ＴＰＡに、外部接近物体が接近したことを検出するための複数の第２タッチ検出電極ＦＤを設けることができる。
【００３７】
図６を用いて、複数の駆動電極Ｔｘ（Ｔｘ１，Ｔｘ２，Ｔｘ３）のおのおのの形状について、駆動電極Ｔｘ１を代表例として説明する。図６は、図５の駆動電極Ｔｘ１の電極形状を説明する図である。駆動電極Ｔｘ１は、複数のパッド部ＰＤ１〜ＰＤ４と、複数の接続配線ＣＷ１〜ＣＷ３と、を含む。複数のパッド部ＰＤ１〜ＰＤ４のおのおのは、平面視において、四角形の形状であり、第１角部ＣＮ１と、第２角部ＣＮ２と、第１角部ＣＮ１に対向する第３角部ＣＮ３と、第２角部ＣＮ２に対向する第４角部ＣＮ４と、を有する。
【００３８】
パッド部ＰＤ１の第４角部ＣＮ４は、接続配線ＣＷ１を介して、パッド部ＰＤ２の第２角部ＣＮ２に接続される。パッド部ＰＤ２の第４角部ＣＮ４は、接続配線ＣＷ２を介して、パッド部ＰＤ３の第２角部ＣＮ２に接続される。パッド部ＰＤ３の第４角部ＣＮ４は、接続配線ＣＷ３を介して、パッド部ＰＤ４の第２角部ＣＮ２に接続される。
【００３９】
図７を用いて、複数の検出電極Ｒｘ（Ｒｘ１，Ｒｘ２，Ｒｘ３）のおのおのの形状について、検出電極Ｒｘ１を代表例として説明する。図７は、図５の検出電極Ｒｘ１の電極形状を説明する図である。検出電極Ｒｘ１は、複数のパッド部ＰＤ１１〜ＰＤ１４と、複数の接続配線ＣＷ１１〜ＣＷ１３と、を含む。複数のパッド部ＰＤ１１〜ＰＤ１４のおのおのは、平面視において、四角形の形状であり、第１角部ＣＮ１１と、第２角部ＣＮ１２と、第１角部ＣＮ１１に対向する第３角部ＣＮ１３と、第２角部ＣＮ１２に対向する第４角部ＣＮ１４と、を有する。
【００４０】
パッド部ＰＤ１１の第４角部ＣＮ１４は、接続配線ＣＷ１１を介して、パッド部ＰＤ１２の第２角部ＣＮ１２に接続される。パッド部ＰＤ１２の第４角部ＣＮ１４は、接続配線ＣＷ１２を介して、パッド部ＰＤ１３の第２角部ＣＮ１２に接続される。パッド部ＰＤ１３の第４角部ＣＮ１４は、接続配線ＣＷ１３を介して、パッド部ＰＤ１４の第２角部ＣＮ１２に接続される。
【００４１】
図５において、図７に示す複数の検出電極Ｒｘを構成する複数のパッド部ＰＤ１１〜ＰＤ１４が第１透明導電層で形成され、図６に示す複数の駆動電極Ｔｘを構成する複数のパッド部ＰＤ１〜ＰＤ４が第１透明導電層の上層に設けられた第２透明導電層で形成される場合、図６に示す複数の接続配線ＣＷ１〜ＣＷ３は、複数の駆動電極Ｔｘを構成する複数のパッド部ＰＤ１〜ＰＤ４と同層の第２透明導電層によって形成することができる。
【００４２】
一方、図５において、図６に示す複数の駆動電極Ｔｘを構成する複数のパッド部ＰＤ１〜ＰＤ４と図７に示す複数の検出電極Ｒｘを構成する複数のパッド部ＰＤ１〜ＰＤ４とが同層の第１透明導電層で形成される場合、図６に示す複数の接続配線ＣＷ１〜ＣＷ３は、第１透明導電層の上層に絶縁層を介して設けられた第２透明導電層を用いたブリッジ配線によって構成することができる。尚、第１透明導電層、第２透明導電層の替わりに不透明、半透明等の導電層を用いてもよい。
【００４３】
（第１タッチ検出）
次に、センサ付き表示装置ＤＳＰに用いられるタッチパネルＴＰの第１タッチ検出について説明する。タッチパネルＴＰのタッチセンサ領域ＴＰＡに対して利用者の指或いはペン等の外部近接物体の位置や座標を検出する第１タッチ検出の方式として、ミューチャル（Ｍｕｔｕａｌ）検出方式と、セルフ（Ｓｅｌｆ）検出方式と、がある。
【００４４】
＜ミューチャル（Ｍｕｔｕａｌ）検出方式＞
図８は、実施形態に係るセンサ付き表示装置のミューチャル検出方式の代表的な基本構成を示す図である。センサとしては、駆動電極Ｔｘと検出電極Ｒｘとが利用される。
【００４５】
駆動電極Ｔｘは、複数の駆動電極Ｔｘ（Ｔｘ１、Ｔｘ２、Ｔｘ３、・・・・）を含む。複数の駆動電極Ｔｘは、この例では、ストライプ状として描かれる。この複数の駆動電極Ｔｘ１、Ｔｘ２、Ｔｘ３・・・・が走査（駆動）方向（第２方向Ｙまたは第１方向Ｘ）に配列されている。複数の駆動電極Ｔｘの形状は、図５、図６に示される複数の駆動電極Ｔｘの形状とされても良い。
【００４６】
一方、検出電極Ｒｘは、複数の検出電極Ｒｘ（Ｒｘ１，Ｒｘ２，Ｒｘ３，・・・・）を含む。複数の検出電極Ｒｘは、例えば、ストライプ状として描かれる。この複数の検出電極Ｒｘ（Ｒｘ１，Ｒｘ２，Ｒｘ３，・・・・）は、駆動電極Ｔｘと直交あるいは交差する方向（第１方向Ｘまたは第２方向Ｙ）に配列されている。複数の検出電極Ｒｘの形状は、図５、図７に示される複数の検出電極Ｒｘの形状とされても良い。
【００４７】
駆動電極Ｔｘと検出電極Ｒｘは、間隔を置いて配置される。このために、複数の駆動電極Ｔｘと、複数の検出電極Ｒｘの間には、基本的に静電容量としての容量Ｃｃが存在する。
【００４８】
複数の駆動電極Ｔｘは第１タッチ検出期間（検出期間）にはパルス状の駆動パルス（交流信号）が印加される。複数の検出電極Ｒｘは複数の駆動電極Ｔｘからの信号を受信する。
【００４９】
タッチ検出時の駆動電極Ｔｘ（Ｔｘ１、Ｔｘ２、Ｔｘ３、・・・・）は所定の周期で駆動パルス（Ｓｉｇ）により走査される。今、ユーザの指が検出電極Ｒｘ２と駆動電極Ｔｘ２の交差部に近接して存在するものとする。この時、駆動電極Ｔｘ２に駆動パルス（Ｓｉｇ）が供給されると検出電極Ｒｘ（Ｒｘ１、Ｒｘ２、Ｒｘ３、・・・・）にはパルス状の波形が得られ、検出電極Ｒｘ２からは、他の検出電極から得られるパルスよりも振幅レベルの低いパルスが得られる。検出電極Ｒｘ（Ｒｘ１、Ｒｘ２、Ｒｘ３、・・・・）は駆動電極Ｔｘ（Ｔｘ１、Ｔｘ２、Ｔｘ３・・・・）からのフリンジ電界を監視しており、指のような導電物が近接すると、このフリンジ電界を遮蔽する効果がある。フリンジ電界が遮蔽されることで、検出電極Ｒｘの検出電位が低下する。
【００５０】
ミューチャル検出では、この検出電位の差を、ポジションＤＥＴＰの検出パルスとして取り扱うことができる。図示される容量Ｃｘは、ユーザの指が検出電極Ｒｘに近い場合と、遠い場合とで異なる。このために検出パルスのレベルもユーザの指が検出電極Ｒｘに近い場合と、遠い場合とで異なる。よって、タッチパネルの平面に対する指の近接度を検出パルスの振幅レベルで判断することができる。駆動パルスＳｉｇによる電極駆動タイミングと、検出パルスの出力タイミングにより、タッチパネルの平面上の指の２次元上の位置を検出することができる。
【００５１】
＜セルフ（Ｓｅｌｆ）検出方式＞
図９は、実施形態に係るセルフ（Ｓｅｌｆ）検出方式の代表的な基本構成を示す図である。セルフ（Ｓｅｌｆ）検出方式では、第１タッチ検出期間（検出期間）において、複数の検出電極Ｒｘ及び複数の駆動電極Ｔｘにパルス状の自己検出用駆動パルスを順次供給して、外部近接物体であるユーザの指の位置や座標を検出する。図９には、例示的に、検出電極Ｒｘ２と駆動電極Ｔｘ２が示されており、また、検出電極Ｒｘ２と駆動電極Ｔｘ２との交点部分に、ユーザの指Ｏ１が接近または接触している場合を示している。ユーザの指Ｏ１により、検出電極Ｒｘ２の静電容量は、検出電極Ｒｘ２の自己容量とユーザの指Ｏ１による容量Ｃｘ１とが加算された値となる。同様に、駆動電極Ｔｘ２の静電容量は、駆動電極Ｔｘ２の自己容量とユーザの指Ｏ１による容量Ｃｘ２とが加算された値となる。この状態において、例えば、最初に、検出電極Ｒｘ２が所定のインピーダンスＲ１を介して自己検出用駆動パルスＳｉｇ１（交流信号）により駆動され、検出電極Ｒｘ２の増加された静電容量が自己検出用駆動パルスＳｉｇ１により充電される。検出回路ＤＥＴ１は、容量Ｃｘ１により変化した充電電圧の値に基づいて検出電極Ｒｘ２にユーザの指Ｏ１が有ることを検出する。次に、駆動電極Ｔｘ２が所定のインピーダンスＲ２を介して自己検出用駆動パルスＳｉｇ２により駆動され、駆動電極Ｔｘ２の増加された静電容量が自己検出用駆動パルスＳｉｇ２により充電される。検出回路ＤＥＴ２は、容量Ｃｘ２により変化した充電電圧の値に基づいて駆動電極Ｔｘ２にユーザの指Ｏ１が有ることを検出する。これにより、検出電極Ｒｘ２と駆動電極Ｔｘ２との交点にユーザの指Ｏ１が有ることが検出され、タッチパネルの平面上のユーザの指Ｏ１の位置や座標が検出される。
【００５２】
図９には図示されないが、図８と同様に、センサとしては、駆動電極Ｔｘと検出電極Ｒｘとが利用される。自己検出用駆動パルスＳｉｇ２により順次駆動（走査）される複数の駆動電極Ｔｘは、図７と同様に、複数のストライプ状の駆動電極Ｔｘ（Ｔｘ１、Ｔｘ２、Ｔｘ３、・・・・）を含む。この複数の駆動電極Ｔｘが第２方向Ｙまたは第１方向Ｘに配列されている。同様に、自己検出用駆動パルスＳｉｇ１により順次駆動（走査）される検出電極Ｒｘは、複数のストライプ状の検出電極Ｒｘ（Ｒｘ１、Ｒｘ２、Ｒｘ３、・・・・）を含む。この複数の検出電極Ｒｘは、複数の駆動電極Ｔｘと直交または交差する方向（第１方向Ｘまたは第２方向Ｙ）に配列されている。図９に示されるような構成を用いて、複数の検出電極Ｒｘと複数の駆動電極Ｔｘの両方をセルフ検出方式で順次駆動(走査)することにより、複数の検出電極Ｒｘと複数の駆動電極Ｔｘの交点における外部近接物体Ｏ１の位置を検出できる。なお、セルフ検出方式における検出期間において、複数の検出電極Ｒｘと複数の駆動電極Ｔｘとは、いずれも検出電極と見做すことが出来る。複数の駆動電極Ｔｘの形状および複数の検出電極Ｒｘの形状は、図５，図６，図７に示される複数の駆動電極Ｔｘの形状および複数の検出電極Ｒｘの形状とされても良い。
【００５３】
また、このようなセルフ検出方式はタッチセンサが低消費電力モード時において検出電極ＤＥＴＥのみを自己検出用駆動パルスＳｉｇ１により駆動し、指等の外部近接物体の有無のみを検出し、ミューチュアル検出に切り替え外部近接物体の座標を検出するようにしてもよい。また、検出電極Ｒｘを設けないで、複数の駆動電極Ｔｘを個別に行方向（第１方向Ｘ）と列方向（第２方向Ｙ）にマトリックス状に配置し、複数の駆動電極Ｔｘのみによるセルフ検出方式にて指等の外部近接物体の座標を検出するようにしてもよい。
【００５４】
尚、図８、図９には図示されないが、スイッチ等によりミューチャル（Ｍｕｔｕａｌ）検出方式と、セルフ（Ｓｅｌｆ）検出方式とを切り替え可能な構成にしてもよい。また、図９に示すセルフ検出方式の構成は一例であり、これに限定されるものではない。
【００５５】
（第２タッチ検出）
次に、センサ付き表示装置ＤＳＰに用いられるタッチパネルＴＰの第２タッチ検出について説明する。タッチパネルＴＰのタッチセンサ領域ＴＰＡに対して利用者の指或いはペン等の外部近接物体Ｏ１の接近を検出する第２タッチ検出の方式として、セルフ（Ｓｅｌｆ）検出方式が利用される。第２タッチ検出は、指の接近を検出するために利用されるので、フィンガーディテクション（Ｆｉｎｇｅｒ Ｄｅｔｅｃｔｉｏｎ）と言うこともできる。
【００５６】
図１０は、第２タッチ検出を説明する図である。第２タッチ検出では、センサとして、複数の第２検出電極ＦＤ（ＦＤ１，ＦＤ２）が利用される。この例では、複数の第２検出電極ＦＤ（ＦＤ１，ＦＤ２）が複数の検出電極Ｒｘの下に配置されている。すなわち、複数の第２検出電極ＦＤ（ＦＤ１，ＦＤ２）が複数の検出電極Ｒｘと平面視において重畳している。複数の第２検出電極ＦＤ（ＦＤ１，ＦＤ２）と複数の検出電極Ｒｘとの間には、カップリング容量Ｃｃ１が存在している。ユーザの指Ｏ１により、複数の検出電極Ｒｘの静電容量は、複数の検出電極Ｒｘの自己容量とユーザの指Ｏ１による容量Ｃｘ３とが加算された値となる。第２タッチ検出の検出期間において、例えば、複数の第２検出電極ＦＤ（ＦＤ１，ＦＤ２）が所定のインピーダンスＲ３を介して検出用駆動パルスＳｉｇ３（交流信号）により駆動されると、カップリング容量Ｃｃ１によって複数の検出電極Ｒｘも自己検出用駆動パルスＳｉｇ３（交流信号）により駆動される。複数の検出電極Ｒｘの増加された静電容量Ｃｘ３が検出用駆動パルスＳｉｇ３により充電される。複数の検出電極Ｒｘに接続された検出回路ＤＥＴ３は、容量Ｃｘ３により変動した充電電圧の値に基づいて、複数の検出電極Ｒｘの近傍にユーザの指Ｏ１が有ることを検出することができる。
【００５７】
図１０では、複数の第２検出電極ＦＤ（ＦＤ１，ＦＤ２）が複数の検出電極Ｒｘの下に配置された場合を示したが、これに限定されない。複数の第２検出電極ＦＤ（ＦＤ１，ＦＤ２）は複数の駆動電極Ｔｘの下に配置されても良い。この場合は、複数の第２検出電極ＦＤ（ＦＤ１，ＦＤ２）と複数の駆動電極Ｔｘとの間のカップリングおよび複数の駆動電極Ｔｘと複数の検出電極Ｒｘとの間のカップリングにより複数の検出電極Ｒｘを駆動し、複数の検出電極Ｒｘの変動度合いに基づいて、外部近接物体の近接を検出する。あるいは、駆動電極Ｔｘをスイッチ等で検出回路に接続し、駆動電極Ｔｘの変動度合いに基づいて、外部近接物体の近接を検出してもよい。
【００５８】
図１１は、実施形態の第１タッチ検出と第２タッチ検出との検出期間を説明する図である。図１２は、実施形態に係る表示装置のタッチ検出フローを説明する図である。第１タッチ検出は、指或いはペン等の外部近接物体の位置や座標を検出するために利用されるが、指のイメージを取得する指紋認証などにも利用することができる。外部近接物体の位置や座標の検出は、ジェスチャーセンシング（Ｇｅｓｕｔｕｒｅ  Ｓｅｎｓｉｎｇ）と言うこともできる。また、指のイメージを取得する指紋認証は、イメージキャプチャー（Ｉｍａｇｅ  Ｃａｐｕｔｕｒｅ）と言いうこともできる。第２タッチ検出は、指の接近を検出するために利用されることが多いので、フィンガーディテクション（Ｆｉｎｇｅｒ Ｄｅｔｅｃｔｉｏｎ:指検出）と言うこともできる。
【００５９】
図５に示す様なタッチパネルＴＰでは、低消費電力化のため、第２タッチ検出の動作によって、指或いはペン等の外部近接物体がタッチセンサ領域ＴＰＡの近傍に接近したか否かが検出されている。第２タッチ検出の検出期間において、複数の第２検出電極ＦＤはセルフ検出方式に基づき自己検出用駆動パルスＳｉｇ３によって駆動される。
【００６０】
外部近接物体が第２タッチ検出により検知（たとえば、指検知）されると、タッチパネルＴＰは第２タッチ検出の動作から第１タッチ検出の動作へ遷移する。
【００６１】
第１タッチ検出の検出期間において、複数の駆動電極Ｔｘが、たとえば、ミューチャル検出方式に基づきパルス状の駆動パルス（Ｓｉｇ）により順次駆動され、複数の検出電極Ｒｘにはフリンジ成分に基づいたパルス状の波形が得られる。これにより、タッチセンサ領域ＴＰＡにおける指或いはペン等の外部近接物体の位置や座標の検出、あるいは、指のイメージの取得が行われる。
【００６２】
タッチセンサ領域ＴＰＡにおいて、指或いはペン等の外部近接物体が数秒間検知されない場合、指或いはペン等の外部近接物体の検知が無いと判断されて、タッチパネルＴＰは第１タッチ検出の動作から第２タッチ検出の動作へ遷移する。これにより、タッチパネルＴＰの消費電力が低消費電力化される。
【００６３】
図１２に示す様に、表示装置ＤＳＰの組み込まれた携帯電話などの電子機器に電源が供給されると、タッチ検出による検出開始（ステップＳ１）が開始されて、ステップＳ２へ遷移する。
【００６４】
ステップＳ２では、第２タッチ検出動作がセルフ（Ｓｅｌｆ）検出方式により実施され、ステップＳ３へ遷移する。
【００６５】
ステップＳ３では、ステップＳ２による第２タッチ検出の判定が実施される。外部近接物体が第２タッチ検出により検知された場合、ステップＳ４へ遷移する。外部近接物体が第２タッチ検出により検知されなかった場合、ステップＳ１へ遷移し、その後スッテプＳ２へ遷移する。
【００６６】
ステップＳ４では、第１タッチ検出動作がセルフ（Ｓｅｌｆ）検出方式、または、ミューチャル（Ｍｕｔｕａｌ）検出方式により実施される。これにより、タッチセンサ領域ＴＰＡにおける指或いはペン等の外部近接物体の位置や座標の検出、あるいは、指のイメージの取得が行われる。ステップＳ４において、タッチセンサ領域ＴＰＡに指或いはペン等の外部近接物体が数秒間検知されない場合、ステップＳ１へ遷移し、その後スッテプＳ２へ遷移する。
【００６７】
尚、複数の第２検出電極ＦＤが複数の駆動電極Ｔｘおよび複数の検出電極Ｒｘの下にある場合、第２タッチ検出動作がセルフ（Ｓｅｌｆ）検出方式により実施されている間は、複数の駆動電極Ｔｘおよび複数の検出電極Ｒｘはフローティング（ハイインピーダンス）状態とされる。
【００６８】
このような検出フローを採用することで、タッチパネルＴＰの消費電力が低消費電力化される。
【００６９】
次に、図面を用いて、タッチパネルＴＰの平面レイアウトの変形例をいくつか説明する。
【００７０】
（タッチパネルＴＰの平面レイアウトの変形例）
（変形例１）
図１３は、変形例１に係るタッチパネルＴＰ１の平面レイアウトの構成例を示す図である。図１３のタッチパネルＴＰ１が図５のタッチパネルＴＰと異なる点は、図１３において、複数の第２検出電極ＦＤ（ＦＤ１、ＦＤ２，ＦＤ３，ＦＤ４）が複数の駆動電極Ｔｘ（Ｔｘ１、Ｔｘ２、Ｔｘ３）の下側に設けられている点である。つまり、第２検出電極ＦＤ１は、複数の駆動電極Ｔｘ（Ｔｘ１、Ｔｘ２、Ｔｘ３）のおのおののパッド部ＰＤ１の下側に平面視において重畳するように設けられる。同様に、第２検出電極ＦＤ１は、複数の駆動電極Ｔｘ（Ｔｘ１、Ｔｘ２、Ｔｘ３）のおのおののパッド部ＰＤ２の下側に平面視において重畳するように設けられ、第２検出電極ＦＤ３は、複数の駆動電極Ｔｘ（Ｔｘ１、Ｔｘ２、Ｔｘ３）のおのおののパッド部ＰＤ２３下側に平面視において重畳するように設けられ、第２検出電極ＦＤ４は、複数の駆動電極Ｔｘ（Ｔｘ１、Ｔｘ２、Ｔｘ３）のおのおののパッド部ＰＤ３の下側に平面視において重畳するように設けられる。図１３の他の構成は、図５の構成と同じである。
【００７１】
したがって、図１３に示す様に、複数の第２検出電極ＦＤは、複数の駆動電極Ｔｘおよび複数の検出電極Ｒｘから構成される第１検出電極ＴＲと平面視において重畳している。また、複数の第２検出電極ＦＤは、複数の駆動電極Ｔｘと重畳する面積の方が、複数の検出電極Ｒｘと重畳する面積より大きい。
【００７２】
（変形例２）
図１４は、変形例２に係るタッチパネルＴＰ２の平面レイアウトの構成例を示す図である。図１４のタッチパネルＴＰ２が図５のタッチパネルＴＰと異なる点は、図１４において、１つの第２検出電極ＦＤＢが複数の駆動電極Ｔｘ（Ｔｘ１、Ｔｘ２、Ｔｘ３）および複数の検出駆動電極Ｒｘ（Ｒｘ１、Ｒｘ２、Ｒｘ３）の下側に設けられている点である。図１４の他の構成は、図５の構成と同じである。
【００７３】
したがって、図１４に示す様に、一つの第２検出電極ＦＤが、複数の駆動電極Ｔｘおよび複数の検出電極Ｒｘから構成される第１検出電極ＴＲと重畳している。
【００７４】
（駆動電極Ｔｘのパッド部と検出電極Ｒｘのパッド部の形状例）
次に、複数の駆動電極Ｔｘおよび複数の検出電極Ｒｘの形状の変形例を説明する。図５、図１３、図１４に示す構成では、複数の駆動電極Ｔｘを構成する複数のパッド部ＰＤ１〜ＰＤ４と、複数の検出電極Ｒｘを構成する複数のパッド部ＰＤ１１〜ＰＤ１４とは、平面視において、離間して配置されているが、これに限定されない。複数の駆動電極Ｔｘを構成する複数のパッド部ＰＤ１〜ＰＤ４と複数の検出電極Ｒｘを構成する複数のパッド部ＰＤ１１〜ＰＤ１４とは、平面視において、重なるように構成されても良い。
【００７５】
（形状例１）
図１５は、形状例１を説明する概念的な平面図である。図１５には、代表例として、駆動電極Ｔｘ２のパッド部ＰＤ１、ＰＤ２と検出電極Ｒｘ１のパッド部ＰＤ１２、ＰＤ１３とが記載されており、駆動電極Ｔｘ２の下側に検出電極Ｒｘ１が配置される配置例を示している。図１５に示されない複数の駆動電極Ｔｘの構成する複数のパッド部ＰＤ１〜ＰＤ４と複数の検出電極Ｒｘ１を構成する複数のパッド部ＰＤ１１〜ＰＤ１４も、同様な構成にされている。
【００７６】
図１５に示す様に、駆動電極Ｔｘ２のパッド部ＰＤ１において、パッド部ＰＤ１の第１角部ＣＮ１と第４角部ＣＮ４との間に構成される辺の下側に、検出電極Ｒｘ１のパッド部ＰＤ１２の端部が平面視において部分的に重畳している。また、駆動電極Ｔｘ２のパッド部ＰＤ１において、パッド部ＰＤ１の第３角部ＣＮ３と第４角部ＣＮ４との間に構成される辺の下側に、検出電極Ｒｘ１のパッド部ＰＤ１３の端部が平面視において部分的に重畳している。また、駆動電極Ｔｘ２のパッド部ＰＤ２において、パッド部ＰＤ２の第１角部ＣＮ１と第２角部ＣＮ２とで構成される辺の下側に、検出電極Ｒｘ１のパッド部ＰＤ１２の端部が平面視において部分的に重畳している。また、駆動電極Ｔｘ２のパッド部ＰＤ２において、パッド部ＰＤ２の第３角部ＣＮ３と第２角部ＣＮ２とで構成される辺の下側に、検出電極Ｒｘ１のパッド部ＰＤ１３の端部が平面視において部分的に重畳している。
【００７７】
（形状例２）
図１６は、形状例２を説明する概念的な平面図である。図１６には、代表例として、駆動電極Ｔｘ２のパッド部ＰＤ１、ＰＤ２と検出電極Ｒｘ１のパッド部ＰＤ１２、ＰＤ１３とが記載されており、駆動電極Ｔｘ２の上側に検出電極Ｒｘ１が配置される配置例を示している。図１６に示されない複数の駆動電極Ｔｘの構成する複数のパッド部ＰＤ１〜ＰＤ４と複数の検出電極Ｒｘ１を構成する複数のパッド部ＰＤ１１〜ＰＤ１４も、同様な構成にされている。
【００７８】
図１６に示す様に、駆動電極Ｔｘ２のパッド部ＰＤ１において、パッド部ＰＤ１の第１角部ＣＮ１と第４角部ＣＮ４との間に構成される辺の上側に、検出電極Ｒｘ１のパッド部ＰＤ１２が平面視において部分的に重畳している。また、駆動電極Ｔｘ２のパッド部ＰＤ１において、パッド部ＰＤ１の第３角部ＣＮ３と第４角部ＣＮ４との間に構成される辺の上側に、検出電極Ｒｘ１のパッド部ＰＤ１３の端部が平面視において部分的に重畳している。また、駆動電極Ｔｘ２のパッド部ＰＤ２において、パッド部ＰＤ２の第１角部ＣＮ１と第２角部ＣＮ２との間に構成される辺の上側に、検出電極Ｒｘ１のパッド部ＰＤ１２の端部が平面視において部分的に重畳している。また、駆動電極Ｔｘ２のパッド部ＰＤ２において、パッド部ＰＤ２の第３角部ＣＮ３と第２角部ＣＮ２との間に構成される辺の上側に、検出電極Ｒｘ１のパッド部ＰＤ１３の端部が平面視において部分的に重畳している。
【００７９】
次に、図１５または図１６の構成を用いた、タッチパネルＴＰの平面レイアウトの構成例をいくつか説明する。
【００８０】
（変形例３）
図１７は、変形例３に係るタッチパネルＴＰ３の平面レイアウトの構成例を示す図である。この例では、図１６に示す形状例２を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の下側に配置されており、複数の第２検出電極ＦＤ（ＦＤ１，ＦＤ２，ＦＤ３）は、複数の検出電極Ｒｘ（Ｒｘ１，Ｒｘ２，Ｒｘ３）の下側に配置される。
【００８１】
（変形例４）
図１８は、変形例４に係るタッチパネルＴＰ４の平面レイアウトの構成例を示す図である。この例では、図１５に示す形状例１を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の上側に配置されており、複数の第２検出電極ＦＤ（ＦＤ１，ＦＤ２，ＦＤ３）は、複数の検出電極Ｒｘ（Ｒｘ１，Ｒｘ２，Ｒｘ３）の下側に配置される。
【００８２】
（変形例５）
図１９は、変形例５に係るタッチパネルＴＰ５の平面レイアウトの構成例を示す図である。この例では、図１６に示す形状例２を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の下側に配置されており、複数の第２検出電極ＦＤ（ＦＤ１，ＦＤ２，ＦＤ３、ＦＤ４）は、複数の駆動電極Ｔｘ（Ｔｘ１，Ｔｘ２，Ｔｘ３）の下側に配置される。
【００８３】
（変形例６）
図２０は、変形例６に係るタッチパネルＴＰ６の平面レイアウトの構成例を示す図である。この例では、図１５に示す形状例１を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の上側に配置されており、複数の第２検出電極ＦＤ（ＦＤ１，ＦＤ２，ＦＤ３、ＦＤ４）は、複数の駆動電極Ｔｘ（Ｔｘ１，Ｔｘ２，Ｔｘ３）の下側に配置される。
【００８４】
（変形例７）
図２１は、変形例７に係るタッチパネルＴＰ７の平面レイアウトの構成例を示す図である。この例では、図１６に示す形状例２を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の下側に配置されており、一つの第２検出電極ＦＤＢは、複数の検出電極Ｒｘ（Ｒｘ１，Ｒｘ２，Ｒｘ３）および複数の駆動電極Ｔｘ（Ｔｘ１，Ｔｘ２，Ｔｘ３）の下側に配置される。
【００８５】
（変形例８）
図２２は、変形例８に係るタッチパネルＴＰ８の平面レイアウトの構成例を示す図である。この例では、図１５に示す形状例１を採用した場合のものである。複数の駆動電極Ｔｘ（Ｔｘ１，Ｔｘ２，Ｔｘ３）は、複数の検出電極Ｒｘ（Ｒｘ１，Ｒｘ２，Ｒｘ３）の上側に配置されており、一つの第２検出電極ＦＤＢは、複数の検出電極Ｒｘ（Ｒｘ１，Ｒｘ２，Ｒｘ３）および複数の駆動電極Ｔｘ（Ｔｘ１，Ｔｘ２，Ｔｘ３）の下側に配置される。
【００８６】
実施形態（図５）、変形例１〜変形例８の構成を纏めると以下である。
【００８７】
１）複数の駆動電極Ｔｘ（Ｔｘ１，Ｔｘ２，Ｔｘ３）は、第１方向Ｘに延在し、第１方向Ｘと交差する第２方向Ｙに配列されている。複数の検出電極Ｒｘ（Ｒｘ１，Ｒｘ２，Ｒｘ３）は、第２方向Ｙに延在し、第２方向Ｙと交差する第１方向Ｘに配列されている。
【００８８】
２）複数の第２検出電極ＦＤは、複数の駆動電極Ｔｘおよび複数の検出電極Ｒｘから構成される第１検出電極ＴＲと平面視において重畳している。
【００８９】
３）複数の駆動電極Ｔｘおよび複数の検出電極Ｒｘのおのおのは、平面視において、複数のパッド部を構成する複数の四角形（パッド部ＰＤ１〜ＰＤ４、ＰＤ１１〜ＰＤ１４）の角部をつなぎ合わせた構造である。
【００９０】
実施形態（図５）、変形例３、変形例４の構成を纏めると以下である。
【００９１】
１）複数の第２検出電極ＦＤ（ＦＤ１，ＦＤ２，ＦＤ３）は、ストライプ状電極の構造を有している。
【００９２】
２）複数の第２検出電極ＦＤ（ＦＤ１、ＦＤ２，ＦＤ３）が複数の検出電極Ｒｘ（Ｒｘ１、Ｒｘ２、Ｒｘ３）の下側に平面視において重畳するように設けられている。
【００９３】
３）複数の第２検出電極ＦＤは、複数の検出電極Ｒｘと重畳する面積の方が、複数の駆動電極Ｔｘと重畳する面積より大きい。
【００９４】
４）複数の駆動電極Ｔｘおよび複数の検出電極Ｒｘのおのおのは、平面視において、複数のパッド部を構成する複数の四角形の角部をつなぎ合わせた構造である。
【００９５】
５）複数の第２検出電極ＦＤ（ＦＤ１，ＦＤ２，ＦＤ３）を構成するストライプ状電極は、複数の駆動電極Ｔｘおよび複数の検出電極Ｒｘの複数のパッド部を構成する複数の四角形の角部と平面視において重畳する。
【００９６】
変形例１、変形例５、変形例６の構成を纏めると以下である。
【００９７】
１）複数の第２検出電極ＦＤ（ＦＤ１，ＦＤ２，ＦＤ３、ＦＤ４）は、ストライプ状電極の構造を有している。
【００９８】
２）複数の第２検出電極ＦＤ（ＦＤ１、ＦＤ２，ＦＤ３，ＦＤ４）が複数の駆動電極Ｔｘ（Ｔｘ１、Ｔｘ２、Ｔｘ３）の下側に平面視において重畳するように設けられている。
【００９９】
３）複数の第２検出電極ＦＤは、複数の駆動電極Ｔｘと重畳する面積の方が、複数の検出電極Ｒｘと重畳する面積より大きい。
【０１００】
４）複数の駆動電極Ｔｘおよび複数の検出電極Ｒｘのおのおのは、平面視において、複数のパッド部を構成する複数の四角形の角部をつなぎ合わせた構造である。
【０１０１】
５）複数の第２検出電極ＦＤ（ＦＤ１，ＦＤ２，ＦＤ３）のストライプ状電極は、複数の駆動電極Ｔｘおよび複数の検出電極Ｒｘの複数のパッド部を構成する複数の四角形の角部と平面視において重畳する。
【０１０２】
変形例２、変形例７、変形例８の構成を纏めると以下である。
【０１０３】
１）第２検出電極ＦＤＢが複数の駆動電極Ｔｘおよび複数の検出電極Ｒｘから構成される第１検出電極ＴＲと平面視において重畳している。
【０１０４】
図２３は、複数の第２検出電極ＦＤ（ＦＤ１，ＦＤ２，ＦＤ３）を、複数の検出電極Ｒｘ（Ｒｘ１，Ｒｘ２，Ｒｘ３）の下側に配置した場合の断面図を纏めて示す図である。  
タイプＴＡは、図１７に示す変形例３において、ＴＡ−ＴＡ線に沿った断面図を示している。  
タイプＴＢは、図１８に示す変形例４において、ＴＢ−ＴＢ線に沿った断面図を示している。  
タイプＴＣは、図５に示す実施形態において、ＴＣ−ＴＣ線に沿った断面図を示している。
【０１０５】
図２４は、複数の第２検出電極ＦＤ（ＦＤ１，ＦＤ２，ＦＤ３、ＦＤ４）を、複数の駆動電極Ｔｘ（Ｔｘ１，Ｔｘ２，Ｔｘ３）の下側に配置した場合の断面図を纏めて示す図である。  
タイプＴＤは、図１９に示す変形例５において、ＴＤ−ＴＤ線に沿った断面図を示している。  
タイプＴＥは、図２０に示す変形例６において、ＴＥ−ＴＥ線に沿った断面図を示している。  
タイプＴＦは、図１３に示す変形例１において、ＴＦ−ＴＦ線に沿った断面図を示している。
【０１０６】
図２５は、第２検出電極ＦＤＢを、複数の検出電極Ｒｘ（Ｒｘ１，Ｒｘ２，Ｒｘ３）および複数の駆動電極Ｔｘ（Ｔｘ１，Ｔｘ２，Ｔｘ３）の下側に配置した場合の断面図を纏めて示す図である。  
タイプＴＧは、図２１に示す変形例７において、ＴＧ−ＴＧ線に沿った断面図を示している。  
タイプＴＨは、図２２に示す変形例８において、ＴＨ−ＴＨ線に沿った断面図を示している。  
タイプＴＩは、図１４に示す変形例２において、ＴＩ−ＴＩ線に沿った断面図を示している。
【０１０７】
タイプＴＡ、ＴＤ、ＴＧでは、複数の駆動電極Ｔｘ、複数の検出電極Ｒｘおよび複数の第２検出電極ＦＤまたは第２検出電極ＦＤＢは、断面視において、複数の検出電極Ｒｘ、複数の駆動電極Ｔｘ、複数の第２検出電極ＦＤまたは第２検出電極ＦＤＢの順に上側から下側に配置される。
【０１０８】
タイプＴＢ，ＴＥ，ＴＨでは、複数の駆動電極Ｔｘ、複数の検出電極Ｒｘおよび複数の第２検出電極ＦＤまたは第２検出電極ＦＤＢは、断面視において、複数の駆動電極Ｔｘ、複数の検出電極Ｒｘ、複数の第２検出電極ＦＤまたは第２検出電極ＦＤＢの順に上側から下側に配置される。
【０１０９】
タイプＴＣ，ＴＦ，ＴＩでは、複数の駆動電極Ｔｘ、複数の検出電極Ｒｘおよび複数の第２検出電極ＦＤまたは第２検出電極ＦＤＢは、断面視において、複数の駆動電極Ｔｘおよび複数の検出電極Ｒｘが同層に形成され、その下側に、複数の第２検出電極ＦＤまたは第２検出電極ＦＤＢが配置される。
【０１１０】
図２６は、タイプＴＡ，ＴＢ，ＴＤ、ＴＥの断面図ＣＳＶと等価回路ＥＱＣとをまとめて示す図である。
【０１１１】
タイプＴＡでは、等価回路ＥＱＣに示す様に、第２検出電極ＦＤと駆動電極Ｔｘとの間に容量Ｃ１０が存在し、駆動電極Ｔｘと検出電極Ｒｘとの間にカップリング容量Ｃｃが存在し、第２検出電極ＦＤと検出電極Ｒｘとの間にカップリング容量Ｃｃ１が存在する。
【０１１２】
タイプＴＢでは、等価回路ＥＱＣに示す様に、第２検出電極ＦＤと検出電極Ｒｘとの間にカップリング容量Ｃｃ１が存在し、検出電極Ｒｘと駆動電極Ｔｘとの間にカップリング容量Ｃｃが存在する。
【０１１３】
タイプＴＤでは、等価回路ＥＱＣに示す様に、第２検出電極ＦＤと駆動電極Ｔｘとの間にカップリング容量Ｃｃ１が存在し、駆動電極Ｔｘと検出電極Ｒｘとの間にカップリング容量Ｃｃが存在する。
【０１１４】
タイプＴＥでは、第２検出電極ＦＤと駆動電極Ｔｘとの間に容量Ｃ１１が存在し、検出電極Ｒｘと駆動電極Ｔｘとの間にカップリング容量Ｃｃが存在し、第２検出電極ＦＤと駆動電極Ｔｘとの間にカップリング容量Ｃｃ１が存在する。
【０１１５】
タイプＴＢの構成例は、駆動電極Ｔｘに対して更に負荷を小さくすることができ、駆動電極Ｔｘは駆動しやすくなる。そのため、駆動電極Ｔｘを駆動する駆動信号Ｓｉｇの波形のなまりを抑制することができる。
【０１１６】
図２７は、図２６のタイプＴＢの駆動方法を説明する図である。図２７に示す様に、第２タッチ検出において、駆動電極Ｔｘおよび検出電極Ｒｘはフローティングにされている。この状態で、第２検出電極ＦＤをセルフ検出による自己検出用駆動パルスＳｉｇ３により駆動する。第２検出電極ＦＤと検出電極Ｒｘとの間は、カップリング容量Ｃｃ１により容量結合されており、検出電極Ｒｘは自己検出用駆動パルスＳｉｇ３と同相の信号により駆動されることになる。これにより、指或いはペン等の外部近接物体がタッチセンサ領域ＴＰＡの近傍に接近したか否か検出される。
【０１１７】
第２タッチ検出において、指或いはペン等の外部近接物体がタッチセンサ領域ＴＰＡの近傍に接近が検知されると、第１タッチ検出へ遷移する。第１タッチ検出において、第２検出電極ＦＤはフローティングにされている。以降の動作は、図１１で説明した様に、第１タッチ検出の検出期間において、駆動電極Ｔｘが、たとえば、ミューチャル検出方式に基づきパルス状の駆動パルス（Ｓｉｇ）により順次駆動され、検出電極Ｒｘにはフリンジ成分に基づいたパルス状の波形が得られる。タッチセンサ領域ＴＰＡにおいて、指或いはペン等の外部近接物体が数秒間検知されない場合、指或いはペン等の外部近接物体の検知が無いと判断されて、タッチパネルＴＰは第１タッチ検出の動作から第２タッチ検出の動作へ遷移する。
【０１１８】
尚、図２３のタイプＴＣおよび図２３、図２６のタイプＴＥについても、図２７と同様の駆動を行うことが望ましい。
【０１１９】
図２８は、図２６のタイプＴＡの駆動方法を説明する図である。図２８では、第１タッチ検出の検出期間において、第２検出電極ＦＤを駆動電極Ｔｘと同振幅の駆動パルスＳｉｇ４によって駆動する駆動方法の一例を示している。タイプＴＡでは、第２検出電極ＦＤと駆動電極Ｔｘとの間に容量Ｃ１０がついてしまうが、第２検出電極ＦＤを駆動電極Ｔｘと同振幅の駆動パルスＳｉｇ４によって駆動することで、第２検出電極ＦＤと駆動電極Ｔｘとの間の容量Ｃ１０の影響を相殺ないし低減させることができる。図２８の他の動作は、図２７と同じであるので、説明は省略する。
【０１２０】
尚、図２４のタイプＴＦおよび図２４、図２６のタイプＴＤについても、図２８の駆動方法と同様な駆動を行うことで第２検出電極ＦＤと駆動電極Ｔｘとの間の容量Ｃc１の影響を相殺ないし低減させることができる。
【０１２１】
（変形例９）
図２９は、変形例９に係るタッチパネルＴＰ９の平面レイアウトを説明する図である。図３０は、変形例９に係る電子装置ＳＹＳの構成例を概念的に示す図である。
【０１２２】
図２９に示す様にタッチパネルＴＰ９が図５のタッチパネルＴＰと異なる点は、タッチパネルＴＰ９が、接地電位ＧＮＤが供給された電極ＬＧＮ（ＬＧＮ１、ＬＧＮ２，ＬＧＮ３）が設けられた点てある。電極ＬＧＮ（ＬＧＮ１、ＬＧＮ２，ＬＧＮ３）は、接地配線と言うこともできる。電極ＬＧＮ（ＬＧＮ１、ＬＧＮ２，ＬＧＮ３）は、平面視において、複数の駆動電極Ｔｘ（Ｔｘ１，Ｔｘ２，Ｔｘ３）、複数の検出電極Ｒｘ（Ｒｘ１，Ｒｘ２，Ｒｘ３）および第２検出電極ＦＤ（ＦＤ１，ＦＤ２，ＦＤ３）を囲む様に設けられている。
【０１２３】
電極ＬＧＮは、３つの電極ＬＧＮ１、ＬＧＮ２，ＬＧＮ３を含む。電極ＬＧＮ１は第２方向Ｙに延在しており、電極ＬＧＮ１の一端は、引出し配線Ｌ１０を介して、タッチパネル制御装置（ＴＰＣ）５に接続され、タッチパネル制御装置５から接地電位ＧＮＤが供給されている。電極ＬＧＮ２は第１方向Ｘに延在しており、電極ＬＧＮ２の一端は電極ＬＧＮ１の他端に接続されている。電極ＬＧＮ３は第２方向Ｙに延在しており、電極ＬＧＮ３の一端は、引出し配線Ｌ１１を介して、タッチパネル制御装置５に接続され、タッチパネル制御装置５から接地電位ＧＮＤが供給されている。電極ＬＧＮ１、ＬＧＮ２，ＬＧＮ３のおのおのは、一例では、図６または図７で説明された電極形状と同様な電極形状にされている。
【０１２４】
電極ＬＧＮ３の他端は電極ＬＧＮ２の他端に接続されている。電極ＬＧＮ１は、平面視において、複数の駆動電極Ｔｘ、複数の検出電極Ｒｘおよび第２検出電極ＦＤの左側に配置される。電極ＬＧＮ２は、平面視において、複数の駆動電極Ｔｘ、複数の検出電極Ｒｘおよび第２検出電極ＦＤの上側に配置される。電極ＬＧＮ３は、平面視において、複数の駆動電極Ｔｘ、複数の検出電極Ｒｘおよび第２検出電極ＦＤの右側に配置される。したがって、複数の駆動電極Ｔｘ、複数の検出電極Ｒｘおよび第２検出電極ＦＤの左側、上側、および右側が電極ＬＧＮ１、ＬＧＮ２，ＬＧＮ３によって、囲まれている。つまり、タッチパネルＴＰ９のタッチセンサ領域ＴＰＡの左側、上側、および右側が接地電位ＧＮＤの供給される電極ＬＧＮ（ＬＧＮ１、ＬＧＮ２，ＬＧＮ３）によって覆われている構成である。なお、電極ＬＧＮは、フレキシブルプリント回路基板４に設けた接地配線に接続しても良い。
【０１２５】
この構成によれは、タッチパネルＴＰ９のタッチセンサ領域ＴＰＡに、たとえば、ノイズが印加された場合でも、ノイズの影響を電極ＬＧＮによって緩和できるので、第１タッチ検出および第２タッチ検出の検出精度を向上できる。
【０１２６】
図３０に示す様に、電子装置ＳＹＳは、ホスト装置３０と、表示装置ＤＳＰ１と、を含む。表示装置ＤＳＰ１は、表示パネルＰＮＬ１と、タッチパネルＴＰ９と、フレキシブルプリント回路基板１と、ＩＣチップ（ＤＤ）２ａと、回路基板３と、フレキシブルプリント回路基板４と、タッチパネル制御装置５と、を備えている。表示パネルＰＮＬ１は、図１と同様な構成とであるので、詳細な説明は省略する。タッチパネルＴＰ９は、この例では、タッチセンサ領域ＴＰＡを囲む様に設けられた電極ＬＧＮを有している。タッチパネルＴＰ９のタッチセンサ領域ＴＰＡに設けられる複数の駆動電極Ｔｘ、複数の検出電極Ｒｘおよび第２検出電極ＦＤは、図２９に示す構成や、実施形態、変形例１〜変形例８の構成を採用することができる。
【０１２７】
フレキシブルプリント回路基板１は、実装部ＭＡに実装され、回路基板３に接続されている。ＩＣチップ２ａは、実装部ＭＡに実装されている。ＩＣチップ２は、画像を表示する表示モードにおいて画像表示に必要な信号を出力するディスプレイドライバＤＤを内蔵している。
【０１２８】
フレキシブルプリント回路基板４は、タッチパネルＴＰと回路基板３との間に実装されている。タッチパネル制御装置５は、フレキシブルプリント回路基板４に実装され、タッチパネルＴＰと電気的に接続されている。タッチパネル制御装置５は、また、フレキシブルプリント回路基板４、回路基板３およびフレキシブルプリント回路基板１を介して、ＩＣチップ２ａに電気的に接続されている。
【０１２９】
ホスト装置３０は、回路基板３およびフレキシブルプリント回路基板１を介して、ＩＣチップ２ａに電気的に接続されている。ホスト装置３０は、また、回路基板３およびフレキシブルプリント回路基板４を介して、タッチパネル制御装置５に電気的に接続されている。
【０１３０】
電極ＬＧＮは、この例では、フレキシブルプリント回路基板４を介して、タッチパネル制御装置５に電気的に接続さており、タッチパネル制御装置５から接地電位ＧＮＤが供給されている。
【０１３１】
図３０に示す様に、タッチパネルＴＰ９のタッチセンサ領域ＴＰＡに、ノイズ４０が印加された場合を考察する。この場合、ノイズ４０は、電極ＬＧＮへ流れる第１の成分と、フレキシブルプリント回路基板４、回路基板３およびフレキシブルプリント回路基板１を介して、ＩＣチップ２ａへ流れる第２の成分と、に分けられる。電極ＬＧＮが存在しない場合、ノイズ４０は、フレキシブルプリント回路基板４、回路基板３およびフレキシブルプリント回路基板１を介して、ＩＣチップ２ａへ流れる。
【０１３２】
したがって、電極ＬＧＮを設けたことにより、ＩＣチップ２ａへ流れるノイズ４０の成分が低減できる。これにより、電子装置ＳＹＳの耐ノイズ性能ないし耐静電気性能を向上させることができる。
【０１３３】
なお、電極ＬＧＮは、フレキシブルプリント回路基板４、回路基板３およびフレキシブルプリント回路基板１に設けた接地配線に接続することもできる。この接地配線は、ＩＣチップ２ａの接地端子にも電気的に接続される。
【０１３４】
本発明の実施の形態として上述した表示装置およびタッチ検出装置を基にして、当業者が適宜設計変更して実施し得る全ての表示装置およびタッチ検出装置も、本発明の要旨を包含する限り、本発明の範囲に属する。
【０１３５】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【０１３６】
また、本実施形態において述べた態様によりもたらされる他の作用効果について本明細書記載から明らかなもの、又は当業者において適宜想到し得るものについては、当然に本発明によりもたらされるものと解される。
【０１３７】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１３８】
ＤＳＰ：表示装置
ＰＮＬ：表示パネル
ＴＰ：タッチパネル（タッチ検出装置）
ＴＰＡ：タッチセンサ領域
Ｔｘ、Ｔｘ１，Ｔｘ２，Ｔｘ３：駆動電極
Ｒｘ、Ｒｘ１，Ｒｘ２，Ｒｘ３：検出電極
ＴＲ：第１タッチ検出電極
ＦＤ、ＦＤ１，ＦＤ２，ＦＤ３、ＦＤ４、ＦＤＢ：第２タッチ検出電極
Ｘ：第１方向
Ｙ：第２方向
【図１】
2020187684.tif 000003
【図２】
2020187684.tif 000004
【図３】
2020187684.tif 000005
【図４】
2020187684.tif 000006
【図５】
2020187684.tif 000007
【図６】
2020187684.tif 000008
【図７】
2020187684.tif 000009
【図８】
2020187684.tif 000010
【図９】
2020187684.tif 000011
【図１０】
2020187684.tif 000012
【図１１】
2020187684.tif 000013
【図１２】
2020187684.tif 000014
【図１３】
2020187684.tif 000015
【図１４】
2020187684.tif 000016
【図１５】
2020187684.tif 000017
【図１６】
2020187684.tif 000018
【図１７】
2020187684.tif 000019
【図１８】
2020187684.tif 000020
【図１９】
2020187684.tif 000021
【図２０】
2020187684.tif 000022
【図２１】
2020187684.tif 000023
【図２２】
2020187684.tif 000024
【図２３】
2020187684.tif 000025
【図２４】
2020187684.tif 000026
【図２５】
2020187684.tif 000027
【図２６】
2020187684.tif 000028
【図２７】
2020187684.tif 000029
【図２８】
2020187684.tif 000030
【図２９】
2020187684.tif 000031
【図３０】
2020187684.tif 000032